(57)【要約】【課題】波形観測型測定装置の利便性を向上する。【解決手段】波形観測型測定装置１００の表示部１３に表示されている測定波形に関連する覚書データをタッチパネル１１を介して入力し、入力された覚書データを上記表示部１３に表示されている測定波形の波形データとともにデータ蓄積部９に保存し、上記データ蓄積部９に保存された覚書データを波形データとともに読み出して出力する。【選択図】  図１
2004309141.tif 000002
【特許請求の範囲】
【請求項１】
入力信号の測定結果を波形として表示する波形表示部を備える波形観測型測定装置本体と、
上記波形表示部に表示されている測定波形に関連する覚書データを入力するためのデータ入力手段と、
上記データ入力手段から入力された覚書データを上記波形表示部に表示されている測定波形の波形データとともに保存するデータ保存手段と、
上記データ保存手段に保存されている覚書データを波形データとともに読み出して出力するデータ読み出し手段と
を備えることを特徴とする波形観測型測定装置。
【請求項２】
上記データ入力手段は、上記波形表示部の全面に設けられたタッチパネルからなることを特徴とする請求項１記載の波形観測型測定装置。
【請求項３】
上記データ入力手段を接続する外部接続端子を上記波形観測型測定装置本体に備え、
上記データ入力手段が上記波形観測型測定装置本体に外部接続されることを特徴とする請求項１記載の波形観測型測定装置。
【請求項４】
入力信号の測定結果を波形として表示する波形表示部に表示されている測定波形の波形データとともに覚書データを保存し、保存された覚書データを波形データとともに読み出して出力する機能を有する波形観測型測定装置本体に上記覚書データを入力するための覚書データ入力装置であって、
上記波形表示部に表示されている測定波形に関連する覚書データを入力するためのデータ入力手段を備え、
上記波形観測型測定装置本体に外部接続されることを特徴とする覚書データ入力装置。
【請求項５】
入力信号の測定結果を波形として表示する波形表示部を備える波形観測型測定装置における覚書データ入力方法であって、
上記波形表示部に表示されている測定波形に関連する覚書データを入力し、
入力された覚書データを上記波形表示部に表示されている測定波形の波形データとともに保存し、
保存された覚書データを波形データとともに読み出して出力することを特徴とする覚書データ入力方法。
【発明の詳細な説明】
【０００１】
【発明の属する技術分野】
本発明は、例えばオシロスコープやスペクトルアナライザなど入力信号の測定結果を波形として表示する波形表示部を備える波形観測型測定装置並びにその覚書データ入力装置及び覚書データ入力方法に関する。
【０００２】
【従来の技術】
従来、オシロスコープやスペクトルアナライザなど入力信号の測定結果を波形として表示する波形表示部を備える波形観測型測定装置では、波形表示部である管面をインスタントカメラにより撮影し、レポート用紙に貼り付け余白部分に実験中の回路及び部品定数や測定部位などのメモ書きすなわち覚え書きすることが一般的であり、場合によってはレポート用紙に貼り付けるのではなく写真裏面にメモ書きすることもあった。
【０００３】
近年、オシロスコープ等の測定器の内部がデジタル化され、測定した波形および測定器の設定等を内部あるいは外付けの記憶装置に記録できるようになってきた。この記録データや観測波形等は、パーソナルコンピュータなどによって利用できる形式で保存されるため、事後にパーソナルコンピュータに取り込み、実験レポートとしての体裁を整え清書することによって、美しい文書を作成し得るようになった。
【０００４】
また、測定装置側の設定値を保存し、その条件を再設定することは行われている（例えば特許文献１参照）。
【０００５】
【特許文献１】
特開平２０００−８８６１２号公報
【０００６】
【発明が解決しようとする課題】
ところが、従来、被測定物の状態等の記録は行わなれていないので、実験時のメモ書きと記録した波形が、事後に清書するまで分離され、最悪の場合対応が取れなくなることがあった。
【０００７】
そこで、本発明は、上述の如き従来の問題点に鑑み、オシロスコープやスペクトルアナライザなど入力信号の測定結果を波形として表示する波形表示部を備える波形観測型測定装置の利便性を向上することを目的とし、観測波形との対応関係を損なうことなく実験時のメモ書き等を記録しておくことができるようにした波形観測型測定装置並びにその覚書データ入力装置及び覚書データ入力方法を提供するものである。
【０００８】
【課題を解決するための手段】
本発明に係る波形観測型測定装置は、入力信号の測定結果を波形として表示する波形表示部を備える波形観測型測定装置本体と、上記波形表示部に表示されている測定波形に関連する覚書データを入力するためのデータ入力手段と、上記データ入力手段から入力された覚書データを上記波形表示部に表示されている測定波形の波形データとともに保存するデータ保存手段と、上記データ保存手段に保存されている覚書データを波形データとともに読み出して出力するデータ読み出し手段とを備えることを特徴とする。
【０００９】
また、本発明は、入力信号の測定結果を波形として表示する波形表示部に表示されている測定波形の波形データとともに覚書データを保存し、保存された覚書データを波形データとともに読み出して出力する機能を有する波形観測型測定装置本体に上記覚書データを入力するための覚書データ入力装置であって、上記波形表示部に表示されている測定波形に関連する覚書データを入力するためのデータ入力手段を備え、上記波形観測型測定装置本体に外部接続されることを特徴とする覚書データ入力装置。
【００１０】
さらに、本発明は、入力信号の測定結果を波形として表示する波形表示部を備える波形観測型測定装置における覚書データ入力方法であって、上記波形表示部に表示されている測定波形に関連する覚書データを入力し、入力された覚書データを上記波形表示部に表示されている測定波形の波形データとともに保存し、保存された覚書データを波形データとともに読み出して出力することを特徴とする。
【００１１】
【発明の実施の形態】
以下、本発明の実施の形態について、図面を参照して詳細に説明する。
【００１２】
本発明は、例えば図１のブロック図に示すような構成の波形観測型測定装置１００に適用される。
【００１３】
この波形観測型測定装置１００は、４チャンネルの波形観測システムを構築したものであって、４チャンネルの被観測信号が入力される第１乃至第４の入力端子１Ａ〜１Ｄ、上記第１乃至第４の入力端子１Ａ〜１Ｄにそれぞれ従属接続された信号減衰器２Ａ〜２Ｄ、増幅器３Ａ〜３Ｄ、アナログ／デジタル（Ａ／Ｄ）変換器４Ａ〜４Ｄ、メモリ５Ａ〜５Ｄ、上記信号減衰器２Ａ〜２Ｄや増幅器３Ａ〜３Ｄを制御する制御部６、この制御部６に接続されたＲＡＭ７、ＲＯＭ８、データ蓄積部９、操作部１０、タッチパネル１１及び表示制御部１２、この表示制御部１２に接続された表示部１３等からなる。
【００１４】
この波形観測型測定装置１００において、第１乃至第４の入力端子１Ａ〜１Ｄに入力された４チャンネルの被観測信号は、過大な入力信号を減衰させる信号減衰器２Ａ〜２Ｄ及び微小な入力信号を増幅する増幅器３Ａ〜３Ｄを介して適正な信号レベルに調整され、Ａ／Ｄ変換器４Ａ〜４Ｄによりデジタル化されて波形データに変換される。そして、上記Ａ／Ｄ変換器４Ａ〜４Ｄにより得られる波形データが制御部６を介してデータ蓄積部９に蓄積される。
【００１５】
上記制御部６は、マイクロプロセッサからなり、操作部１０やタッチパネル１１を介して入力される操作入力に応じて、上記信号減衰器２Ａ〜２Ｄや増幅器３Ａ〜３Ｄを設定するとともに、上記データ蓄積部９に蓄積された波形データを読み出し、表示制御部１２を介して表示部１３に表示させる。
【００１６】
なお、制御部６に接続されたＲＡＭ７及びＲＯＭ８は、上記制御部６のワークメモリやプログラムメモリとして機能する。
【００１７】
さらに、この波形観測型測定装置１００において、上記タッチパネル１１は、上記表示部１３に表示されている測定波形に関連する覚書データを入力するためのデータ入力手段として機能し、上記制御部６は、上記タッチパネル１１上に描かれる文字や図形などの覚書データを上記表示部１３に表示されている測定波形の波形データとともに上記データ蓄積部９に保存し、また、上記データ蓄積部９に保存されている覚書データを波形データとともに読み出して出力する。
【００１８】
ここで、この波形観測型測定装置１００において、上記制御部６は、上記データ蓄積部９に蓄積された波形データを読み出して、例えば図２に示すような表示画面を表示部１３に表示させる。
【００１９】
図２に示した表示画面の最上部は、測定メニューであり、電圧レンジ、スイープ速度、トリガ条件等の各種設定ボタン１４，１５，１６が設けられ、さらに、覚書のためのＭＥＭＯボタン１７が設けられている。
【００２０】
そして、上記制御部６は、上記覚書のためのＭＥＭＯボタン１７が押されると、図３に示すように、Ｄｒａｗボタン１８、Ｔｅｘｔボタン１９、Ｐａｉｎｔボタン２０及びＣＬＯＳＥボタン２１を上記表示部１３に表示させる。
【００２１】
上記Ｄｒａｗボタン１８は、例えば図４に示すように、基本図形を組み合わせて回路図等の絵を描くことができる。
【００２２】
上記制御部６は、上記Ｄｒａｗボタン１８の押圧操作を受け付けると、Ｄｒａｗモードとなる。このＤｒａｗモードでは、例えば図４に示すように、覚書データとして、基本図形を組み合わせて回路図等の絵を描き、上記表示部１３に表示されている測定波形の波形データとともに上記覚書データを上記データ蓄積部９に保存することができる。
【００２３】
また、上記制御部６は、上記Ｔｅｘｔボタン１９の押圧操作を受け付けると、Ｔｅｘｔモードとなる。このＴｅｘｔモードでは、例えば図５に示すように、覚書データとして、実験時のコメント等の文書を書き、上記表示部１３に表示されている測定波形の波形データとともに上記覚書データを上記データ蓄積部９に保存することができる。
【００２４】
さらに、上記制御部６は、上記Ｐａｉｎｔボタン２０の押圧操作を受け付けると、Ｐａｉｎｔモードとなる。このＰａｉｎｔモードでは、例えば図６に示すように、覚書データとして自由線画でメモを取り、上記表示部１３に表示されている測定波形の波形データとともに上記覚書データを上記データ蓄積部９に保存することができる。
【００２５】
そして、上記制御部６は、上記ＣＬＯＳＥボタン２０の押圧操作を受け付けると、上記Ｄｒａｗボタン１８、Ｔｅｘｔボタン１９、Ｐａｉｎｔボタン２０及びＣＬＯＳＥボタン２１の表示を閉じる。
【００２６】
このように、この波形観測型測定装置１００では、上記表示部１３に表示されている測定波形に関連する覚書データをタッチパネル１１を介して入力し、入力された覚書データを上記表示部１３に表示されている測定波形の波形データとともに上記データ蓄積部９に保存し、上記データ蓄積部９に保存された覚書データを波形データとともに読み出して出力することができる。
【００２７】
なお、上述の実施の形態では、波形観測型測定装置１００の表示部１３の全面に設けられたタッチパネル１１を介して覚書データを入力するようにしたが、上記タッチパネル１１に代えてキーボードやマウスなどのデータ入力手段により覚書データを入力するようにしてもよい。また、図７に示すように、波形観測型測定装置２００のように、装置本体２１０に設けた外部接続端子２２０に上記タッチパネル１１やキーボード、マウスなどのデータ入力手段を外部接続するようにしてもよく、上記タッチパネル１１やキーボード、マウスなどのデータ入力手段を備える覚書データ入力装置２５０をオプション装置として提供することも可能である。なお、図７に示す波形観測型測定装置２００の各構成要素は、上記波形観測型測定装置１００と同じなので、同一構成要素について図７中に同一番号を付して、その詳細な説明を省略する。
【００２８】
【発明の効果】
以上のように、本発明によれば、入力信号の測定結果を波形として表示する波形表示部を備える波形観測型測定装置において、上記波形表示部に表示されている測定波形に関連する覚書データを入力し、入力された覚書データを上記波形表示部に表示されている測定波形の波形データとともに保存し、保存された覚書データを波形データとともに読み出して出力することにより、観測波形との対応関係を損なうことなく実験時のメモ書き等を記録しておくことができ、オシロスコープやスペクトルアナライザなど入力信号の測定結果を波形として表示する波形表示部を備える波形観測型測定装置の利便性を向上することができる。
【００２９】
【図面の簡単な説明】
【図１】本発明を適用した波形観測型測定装置の構成例を示すブロック図である。
【図２】上記波形観測型測定装置における表示部の波形表示状態の１例を示す図である。
【図３】上記波形表示状態においてＭＥＭＯボタンが押された場合の表示状態を示す図である。
【図４】Ｄｒａｗボタンが押されることにより設定されるＤｒａｗモードでの覚書データの入力状態の１例を示す図である。
【図５】Ｔｅｘｔボタンが押されることにより設定されるＴｅｘｔモードでの覚書データの入力状態の１例を示す図である。
【図６】Ｐａｉｎｔボタンが押されることにより設定されるＰａｉｎｔモードでの覚書データの入力状態の１例を示す図である。
【図７】本発明を適用した波形観測型測定装置の他の構成例を示すブロック図である。
【符号の説明】
１Ａ〜１Ｄ  第１乃至第４の入力端子、２Ａ〜２Ｄ  信号減衰器、３Ａ〜３Ｄ増幅器、４Ａ〜４Ｄ  Ａ／Ｄ変換器、５Ａ〜５Ｄ  メモリ、６  制御部、７  ＲＡＭ、８  ＲＯＭ、９  データ蓄積部、１０  操作部、１１  タッチパネル、１２  表示制御部、１３  表示部、１４，１５，１６  各種設定ボタン、１７  ＭＥＭＯボタン、１８  Ｄｒａｗボタン、１９  Ｔｅｘｔボタン、２０  Ｐａｉｎｔボタン、２１  ＣＬＯＳＥボタン、１００、２００  波形観測型測定装置、２１０  装置本体、２２０  外部接続端子、２５０  覚書データ入力装置
【図１】
2004309141.tif 000003
【図２】
2004309141.tif 000004
【図３】
2004309141.tif 000005
【図４】
2004309141.tif 000006
【図５】
2004309141.tif 000007
【図６】
2004309141.tif 000008
【図７】
2004309141.tif 000009